(57)【要約】【課題】災害等を知らせる緊急情報を逃すこと無く効果的に報知できる放送受信装置を提供する。【解決手段】制御部３０は、放送受信部２１により緊急警報放送が受信されて、ＴＭＣＣ緊急警報放送用起動フラグにより緊急警報放送が開始されたかを確認する。ＴＭＣＣ緊急警報放送用起動フラグが１になったことを確認して、緊急警報放送が開始されたと確認できた場合、制御部３０は、字幕モード設定部２５に字幕ＯＮと設定させ、表示部１１の字幕表示画面１３に字幕データを表示させる。制御部３０は、ＴＭＣＣ緊急警報放送用起動フラグが０になったことにより、緊急警報放送が終了したことが確認できた場合、所定期間監視部２４に所定時間のカウントを開始させて、所定時間内であるかを判定させる。所定時間内では、字幕モードはＯＮであり、字幕表示は継続することになる。【選択図】図２
2013153305.tif 000002
【特許請求の範囲】
【請求項１】
テレビ放送を受信して緊急情報を報知可能な放送受信装置において、
緊急情報が含まれる放送信号を受信する放送受信部と、
報知モードのＯＮ／ＯＦＦを設定する報知モード設定部と、
各部を制御する制御部と、
を備え、
前記制御部は、前記放送受信部により緊急情報を受信した場合に、前記報知モード設定部に報知モードをＯＮに設定させることを特徴とする放送受信装置。
【請求項２】
前記制御部は、前記緊急情報が終了した場合、終了から所定時間を経過するまでは、前記報知モード設定部に報知モードをＯＮに設定させ続けることを特徴とする請求項１に記載の放送受信装置。
【請求項３】
前記制御部は、一定期間報知モードをＯＮにした後に緊急情報を流す可能性が低いジャンルの番組を視聴していた場合は、前記報知モード設定部に報知モードをＯＦＦに設定させることを特徴とする請求項１に記載の放送受信装置。
【請求項４】
前記報知モードは、字幕表示モードであることを特徴とする請求項１から３のいずれか一項に記載の放送受信装置。
【請求項５】
前記報知モードは、音量アップモードであることを特徴とする請求項１から３のいずれか一項に記載の放送受信装置。
【請求項６】
前記報知モードは、字幕表示モード、且つ音量アップモードであることを特徴とする請求項１から３のいずれか一項に記載の放送受信装置。
【発明の詳細な説明】
【技術分野】
【０００１】
本発明は、デジタル放送を受信して視聴可能な放送受信装置に関する。
【背景技術】
【０００２】
近年、携帯電話機や通信機能をもつタブレット型コンピュータなどに、テレビチューナを備えたものが登場している。これらの通信端末においては、地震や津波などの災害時に発信される緊急警報放送や緊急地震速報などに対応して、視聴者にそれを伝える機能を有しているものがある。
【０００３】
緊急警報放送は、地震や津波などの災害が発生したときに、テレビ受信機に災害情報を伝える放送である。フルセグやワンセグ等の地上デジタル放送では、緊急警報信号をＰＭＴ（Program Management Table）内の緊急情報記述子というデータで送信する。さらに伝送制御データであるＴＭＣＣ（Transmission and Multiplexing Configuration and Control）情報の緊急警報放送用起動フラグを「１」として、受信側が緊急警報放送と認識できるようにする。テレビ放送では、終了時には、伝送制御データであるＴＭＣＣ情報の緊急警報放送用起動フラグを「０」に設定して送出し、ＰＭＴから緊急情報記述子を削除し、受信側に緊急警報放送が終了したことを伝える。
【０００４】
また、緊急地震速報は、日本の気象庁が中心となって提供している地震の予報・警報である。テレビ放送では、音声による警報や表示テロップなどが流される。携帯電話機においては、緊急地震速報に連動した緊急メールを受信できるようにして、警報音、バイブレーション、画面表示で報知を行う。
【０００５】
これらの通信端末において、デジタル放送を受信している最中に、緊急情報（上述の緊急警報放送や緊急地震速報等）を受信した場合には、それを効果的に報知するために、様々の処理を行うものが開示されている。
【０００６】
例えば、特許文献１には、緊急警報放送に含まれる音声、字幕・文字スーパー、データ放送の個々のデータが緊急警報放送に関する情報を含むか否かを判定する判定手段を備え、前記制御手段は、前記判定手段の判定結果に基づいて、前記出力制御または表示制御する。緊急警報放送に関する情報があれば、メインディスプレイだけでなくサブディスプレイにも字幕表示したり、イヤホンだけでなく、スピーカからも音声を流したりする。こうして周囲の人々にも緊急情報を報知する。
【先行技術文献】
【特許文献】
【０００７】
【特許文献１】特開２００７−６４４２号公報
【発明の概要】
【発明が解決しようとする課題】
【０００８】
しかしながら、特許文献１の従来方式は、緊急警報放送中だけ緊急情報を字幕表示や音声等で報知するもので、緊急警報放送終了後のニュース等の報道放送においても、緊急情報の字幕表示や音声により報知するものではない。緊急警報放送のあった後は、緊急状態が継続していると考えられ、警戒が必要な時期であり、ニュース報道等の一般放送で緊急事態関連情報を流す傾向はある。しかしながら、テレビチャンネルによっては常に情報を流しているとは限らず、緊急事態関連情報を得る機会を逃す危険がある。また音声による報知では、聞き逃し等が起こり易く、字幕よりも情報獲得の確実性が低い傾向があり、緊急事態関連情報を逃す危険がある。
【０００９】
本発明は、斯かる実情に鑑み、災害等を知らせる緊急情報を逃すこと無く効果的に報知できる放送受信装置を提供するものである。
【課題を解決するための手段】
【００１０】
本発明は、テレビ放送を受信して緊急情報を報知可能な放送受信装置において、
緊急情報が含まれる放送信号を受信する放送受信部と、報知モードのＯＮ／ＯＦＦを設定する報知モード設定部と、各部を制御する制御部と、を備え、
前記制御部は、前記放送受信部により緊急情報を受信した場合に、前記報知モード設定部に報知モードをＯＮに設定させることを特徴とする。
【００１１】
また、前記制御部は、前記緊急情報が終了した場合、終了から所定時間を経過するまでは、前記報知モード設定部に報知モードをＯＮに設定させ続けることを特徴とする。
【００１２】
また、前記制御部は、一定期間報知モードをＯＮにした後に緊急情報を流す可能性が低いジャンルの番組を視聴していた場合は、前記報知モード設定部に報知モードをＯＦＦに設定させることを特徴とする。
【００１３】
また、前記報知モードは、字幕表示モードであってもよいし、音量アップモードであってもよい。また、前記報知モードは、字幕表示モード、且つ音量アップモードであってもよい。
【発明の効果】
【００１４】
本発明によれば、緊急情報を受信した場合に、自動的に報知モードをＯＮにすることにより、使用者に直ちに情報を報知できるようにすることができる。また、これに関連する番組放送が終了しても一定時間は報知モードをＯＮとして、後に流れるニュース報道等の放送の関連情報を確認できるようになる。こうして、情報取り逃しの危険を防止することができる。
なお、一定時間を過ぎると、ジャンルによっては緊急情報を流す可能性がない番組は報知モードをＯＦＦにすることによって、視聴の邪魔にならないようにすることもできる。
【図面の簡単な説明】
【００１５】
【図１】本発明の一実施形態による携帯電話機の外観構成例を示す図である。
【図２】図１に示す携帯電話機の一構成を示す機能ブロック図である。
【図３】字幕モード設定テーブルを示す図である。
【図４】携帯電話機が緊急警報放送を受信した場合の第１実施形態の処理を示すフローチャートである。
【図５】携帯電話機が緊急メールを受信した場合の第２実施形態の処理を示すフローチャートである。
【図６】ＴＶ視聴中に携帯電話機が緊急地震速報を受信した場合の第３実施形態の処理を示すフローチャートである。
【発明を実施するための形態】
【００１６】
以下、本発明の実施の形態を添付図面を参照して説明する。
【００１７】
本発明の実施形態に係る放送受信装置である携帯電話機を説明する。図１は、本発明の一実施形態による携帯電話機の外観構成例を示す図である。図２は、図１に示す携帯電話機の一構成を示す機能ブロック図である。図３は、字幕モード設定テーブルを示す図である。
【００１８】
図１に示すように、携帯電話機１０は、表示部１１と、入力部１５と、を有している。そして図２に示すように、携帯電話機１０は、図１で説明したものの他、放送受信部２１、通信機能部２２、所定期間監視部２４、字幕モード設定部２５、記憶部２６、スピーカ２８、マイク２９と、制御部３０と、を有している。
【００１９】
放送受信部２１は、放送用アンテナ３１を介して緊急警報放送を含むＴＶ放送信号を受信し、トランスポートストリーム（以下、ＴＳ）の復調および、ＴＳから映像、字幕、データ放送音声、ＰＳＩ（番組特定情報）／ＳＩ（番組配列情報）、緊急警報放送起動情報等の各メディア情報をデコードする機能を有する。ＰＳＩ／ＳＩの番組情報には、番組のジャンル情報も含まれる。
【００２０】
通信機能部２２は、通信用アンテナ３２を介して、電話の通話、メール、インターネットやＴＶのデータ放送での通信機能利用等の通信機能を制御・実行する。
【００２１】
表示部１１は、映像、字幕、データ放送を表示する。本実施形態において表示部１１は、例えば、映像が表示される映像表示領域（画面）１２と、字幕が表示される字幕表示領域（画面）１３と、データ放送が表示されるデータ放送表示領域（画面）１４とを有し、例えば、液晶パネルや有機ＥＬパネルで構成される。
【００２２】
所定期間監視部２４は、緊急警報放送や緊急地震速報の終了から所定期間の経過を監視し、所定期間を経過した時点で制御部３０に通知する。緊急メール着信検出の場合は、その時点から所定期間の経過を監視して、所定期間を経過した時点で制御部３０に通知する。
【００２３】
字幕モード設定部２５は、字幕の表示／非表示のモード（字幕モード）設定を行う。字幕モード設定部２５は、字幕モードを、例えば、記憶部２６に記憶する。
ここでは字幕モード設定部としているが、他の報知手段に関して報知モード設定部としてもよい。例えば、音量のアップモードのＯＮ／ＯＦＦ設定としてもよく、例えばＯＮになれば、音量を例えば１．５倍にアップするというものでもよい。
【００２４】
記憶部２６は、ＲＯＭやＲＡＭといったメモリで構成されている。ＲＯＭは、フラッシュＥＥＰＲＯＭを含み、各種のデータやプログラム等を記憶する。例えば、記憶部２６には、携帯電話機１０として使用するための通話先アドレス情報、放送のチャンネル情報、放送視聴時の各種設定登録の他、字幕表示を行うか否かを判断するための情報を格納する。字幕表示を行うか否かを判断するための情報は字幕モード設定テーブル３５（図３）に記憶する。
【００２５】
図３を参照して、字幕モード設定の処理に用いられる字幕モード設定テーブルを説明する。字幕モード設定テーブル３５は、記憶部２６上に作成されるメモリテーブルであり、字幕モードを格納して保持する。字幕モード設定テーブル３５は、入力部１５によって変更することができる。字幕モードは、字幕モード設定部２５によって設定されるモードであり、字幕ＯＮと字幕ＯＦＦが設定される。字幕モードは、図３（ａ）に示すように、初期値として字幕ＯＦＦが設定される。字幕モード設定部２５により、字幕ＯＮに設定されると、図３（ｂ）に示すように、字幕モード設定テーブル３５は字幕モードを字幕ＯＮとして格納し、表示部１１には、この字幕モードに従って字幕が表示される。
ここでは、字幕モード設定テーブルとしたが、報知モード設定テーブルとして、音量アップなどの他の報知モードの設定を登録するとしてもよい。
【００２６】
入力部１５は、例えば、文字キーと、選択キー、確定キー等を有している。操作者（使用者）は、入力部１５の操作により、表示部１１にテレビ映像を表示、字幕の表示・非表示等を行うことができる。なお、入力部１５は、タッチパネルを使用しても良い。
【００２７】
スピーカ２８は、音声を出力したり、通話時の受話を行うものである。マイク２９は、通話時の送話を行うものである。
【００２８】
制御部３０は、携帯電話機１０の各部を総括的に制御するもので、ＣＰＵからなる。ＣＰＵは、携帯電話機１０の本体を総括的に制御する制御手段として機能する中央処理装置である。ＣＰＵは、ＲＯＭに格納されたプログラムをＲＡＭに読み込ませて実行させる一種のコンピュータである。制御部３０は、操作者の入力部１５からの指示に基づき放送受信部２１を起動させデジタルテレビ放送信号を受信するとともにテレビ映像、テレビ音声又は／及び字幕を表示部１１に表示させる。このとき、制御部３０は、字幕モード設定テーブル３５の字幕モードに基づき、表示部１１での字幕ＯＮ／ＯＦＦを切り替える。
【００２９】
＜第１実施形態＞
本実施形態は、使用者が携帯電話機によりＴＶ視聴中に緊急警報放送を受信した場合における携帯電話機の処理についてのものである。
図４は、携帯電話機が緊急警報放送を受信した場合の第１実施形態の処理を示すフローチャートである。
【００３０】
携帯電話機１０に対し、使用者が入力部１５を操作して、初期設定の字幕ＯＦＦでＴＶ起動し、ＴＶ視聴を視聴する（ステップＳ１）。使用者が字幕をＯＮする場合もあるが、この実施形態では、初期設定の字幕ＯＦＦ状態のまま使用するものとする。
【００３１】
制御部３０は、放送受信部２１により緊急警報放送が受信されて、ＴＭＣＣ緊急警報放送用起動フラグにより緊急警報放送が開始されたかを確認する（ステップＳ２）。ＴＭＣＣ緊急警報放送用起動フラグが１になったことを確認して、緊急警報放送が開始されたと確認できた場合（ステップＳ２；Ｙｅｓ）、制御部３０は、字幕モード設定部２５に字幕ＯＮと設定させ、表示部１１の字幕表示画面１３に字幕データを表示させる（ステップＳ３）。
【００３２】
制御部３０は、放送受信部２１にて受信されているＴＭＣＣ緊急警報放送用起動フラグにより緊急警報放送が継続されているかを確認する（ステップＳ４）。ＴＭＣＣ緊急警報放送用起動フラグが０になったことにより、緊急警報放送が終了したことが確認できた場合（ステップＳ４；Ｎｏ）、制御部３０は所定期間監視部２４に所定時間のカウントを開始させて、所定時間内であるかを判定させる（ステップＳ５）。この所定時間内では、字幕モードはＯＮであり、字幕表示は継続することになる。したがって、緊急警報放送が終っても、地震などの緊急情報に関するニュース報道等があり、字幕情報も放送されていれば、携帯電話機１０に字幕表示画面１３に表示されることになる。
所定期間監視部２４は、所定期間を経過した時点で（ステップＳ５；Ｎｏ）、制御部３０に通知し、制御部３０は字幕モード設定部２５に字幕をＯＦＦさせる（ステップＳ６）。そしてステップＳ２に戻る。
【００３３】
なお、所定期間内では、番組ジャンルで字幕表示選択も可とする。例えば、この所定期間内で、ドラマ等、報道と関係のない番組の時は、地震などの緊急情報に関するニュース報道等がない可能性が高く、また字幕表示画面１３が視聴の邪魔になる可能性もあるので、制御部３０が字幕をＯＦＦにしてもよい。また、制御部３０は、所定時間終了時に、番組ジャンルがニュース、報道であれば、字幕ＯＮを継続して、放送終了後、字幕ＯＦＦにしてもよい。
番組ジャンルは、放送信号で送信されてくる番組情報のジャンル情報などに基づいて判断することができる。
このように、緊急警報放送終了後に字幕モードをどのように設定するかは、予め使用者が設定しておき、制御部３０がそれにしたがって処理を進める。
【００３４】
緊急警報放送後のニュース報道自体を見逃さないようにするために、緊急警報放送後の一定期間に、視聴中の局がニュース・報道番組を行わない場合は、携帯電話機が自動的に他局のニュース番組を検索して選局するようにしてもよい。
【００３５】
＜第２実施形態＞
本実施形態は、携帯電話機に緊急地震速報を知らせる緊急メールの着信があった場合、この携帯電話機の処理内容についてのものである。緊急メールは、気象庁が発信した緊急地震速報に基づいて、緊急メールが各携帯電話機に配信されるメールである。
図５は、携帯電話機が緊急メールを受信した場合の第２実施形態の処理を示すフローチャートである。
【００３６】
制御部３０は、携帯電話機１０がスタンバイ状態であるかを判定する（ステップＳ１１）。スタンバイ状態であれば（ステップＳ１１；Ｙｅｓ）、制御部３０は、緊急メールを通信機能部２２が受信したかを確認し（ステップＳ１２）、緊急メールを受信していれば（ステップＳ１２；Ｙｅｓ）、ＴＶを起動する（ステップＳ１３）。単にＴＶを起動してもよいし、緊急メールを受信した場合に起動するテレビ局を設定しておいてもよい。また、番組情報のジャンル情報によって報道番組を検索して表示してもよい。
【００３７】
初期設定では字幕ＯＦＦであるので、制御部３０は、字幕モード設定部２５に字幕ＯＮと設定させ、表示部１１に緊急情報の字幕データを表示させる（ステップＳ１４）。字幕モード設定部２５は、記憶部２６の字幕モード設定テーブル３５を字幕ＯＮとする。
【００３８】
携帯電話機１０がスタンバイ状態ではなく（ステップＳ１１；Ｎｏ）、使用者がＴＶ視聴中である場合（ステップＳ１７）、制御部３０は、緊急メールを通信機能部２２が受信したかを確認する（ステップＳ１８）。緊急メールを受信していれば（ステップＳ１８；Ｙｅｓ）、ステップＳ１４に進む。
【００３９】
制御部３０は所定期間監視部２４に所定時間のカウントを開始させて、所定時間内であるかを判定させる（ステップＳ１５）。所定期間監視部２４は、所定期間を経過した時点で（ステップＳ１５；Ｎｏ）制御部３０に通知し、制御部３０は字幕モード設定部２５に字幕をＯＦＦさせる（ステップＳ１６）。字幕モード設定部２５は、記憶部２６の字幕モード設定テーブル３５を字幕ＯＦＦとする。そしてステップＳ１１に戻る。
【００４０】
第１実施形態では、緊急警報放送終了後から、所定時間を字幕データを表示したが、緊急メールの場合は、緊急地震速報の終了時点が分からない。したがって、緊急メールを受信した時点から所定時間だけ緊急情報や関連すると考えられるニュース報道等の字幕を表示することになる。
なお、緊急地震速報に関連した緊急メールとしたが、これに限定されるわけではない。例えば、国・地方公共団体が配信する災害・避難情報に関する緊急メールでも構わない。
また、第１実施形態のように視聴している番組ジャンルに基づいて、字幕モードを設定してもよいが、緊急メールの場合は緊急地震速報の終了が分からないので、緊急メールが着信して一定時間は必ず、字幕モードはＯＮとする。
【００４１】
＜第３実施形態＞
本実施形態は、ＴＶ視聴をしていて、番組中に緊急地震速報が開始された場合における携帯電話機の処理内容についてのものである。
図６は、ＴＶ視聴中に携帯電話機が緊急地震速報を受信した場合の第３実施形態の処理を示すフローチャートである。
【００４２】
携帯電話機１０に対し、使用者が入力部１５を操作して、初期設定の字幕ＯＦＦでＴＶ起動し、ＴＶ視聴を視聴する（ステップＳ２１）。制御部３０は、放送受信部２１で受信し番組放送で、緊急地震速報が開始されたかを確認する（ステップＳ２２）。例えば受信放送波の文字スーパーの文字データを解析し、緊急地震速報を判別する。
【００４３】
緊急地震速報が開始された場合（ステップＳ２２；Ｙｅｓ）、制御部３０は、字幕モード設定部２５に字幕ＯＮと設定させ、表示部１１の字幕表示画面１３に字幕データを表示させる（ステップＳ２３）。字幕モード設定部２５は、記憶部２６の字幕モード設定テーブル３５を字幕ＯＮとする。
【００４４】
制御部３０は、放送受信部２１にて受信されている緊急地震速報が継続されているかを確認する（ステップＳ２４）。緊急地震速報が終了したことが確認できた場合（ステップＳ２４；Ｎｏ）、制御部３０は所定期間監視部２４に所定時間のカウントを開始させて、所定時間内であるかを判定させる（ステップＳ２５）。所定期間監視部２４は、所定期間を経過した時点で（ステップＳ２５；Ｎｏ）、制御部３０に通知し、制御部３０は字幕モード設定部２５に字幕をＯＦＦさせる（ステップＳ２６）。字幕モード設定部２５は、記憶部２６の字幕モード設定テーブル３５を字幕ＯＦＦとする。そしてステップＳ２２に戻る。
【００４５】
こうして、所定時間を経過するまでは、字幕はＯＮ設定となって字幕表示画面１３に字幕は表示され続け、所定期間が経過した時点で、字幕はＯＦＦとなる。
なお、第１実施形態のように、所定時間内の字幕モードを、番組ジャンルによって設定してもよい。
【００４６】
いずれの実施形態においても、緊急情報の受信が開始されると、自動的に字幕をＯＮとして緊急情報を表示させ、緊急情報の受信が終了しても、所定時間だけ字幕モードをＯＮにして緊急情報に関連すると考えられるニュース報道等の字幕情報を表示させることにより、情報取り逃しの危険を防止できる。
【符号の説明】
【００４７】
１０  携帯電話機
１１  表示部
１３  字幕表示画面
１５  入力部
２１  放送受信部
２２  通信機能部
２４  所定期間監視部
２５  字幕モード設定部
２６  記憶部
２８  スピーカ
２９  マイク
３０  制御部
３１  放送用アンテナ
３２  通信用アンテナ
３５  字幕モード設定テーブル
【図１】
2013153305.tif 000003
【図２】
2013153305.tif 000004
【図３】
2013153305.tif 000005
【図４】
2013153305.tif 000006
【図５】
2013153305.tif 000007
【図６】
2013153305.tif 000008